(57)【要約】【課題】屋根裏を断熱部材によって効果的に断熱することができると共に、湿気が野地板の裏面側に溜まることを防止して、湿気で野地板等が腐るのを防止できるようにする。【解決手段】桁行き方向に間隔をおいて設けられた複数の垂木２上に野地板３が配置され、野地板３の裏面側に、野地板３から間隔おいて断熱部材１１が野地板３の裏面側を覆うように設けられ、野地板３と断熱部材１１との間に空気層１２が形成された屋根の断熱構造において、前記断熱部材１１は、隣り合う垂木２間毎に分離されていて、桁行き方向に複数設けられ、湿気が垂木２を通して断熱部材１１の表面側と裏面側との間を流通するように、隣り合う断熱部材１１は、垂木２に対応する位置で互いに離間されている。【選択図】図１
2005090182.tif 000002
【特許請求の範囲】
【請求項１】
桁行き方向に間隔をおいて設けられた複数の垂木（２）上に野地板（３）が配置され、野地板（３）の裏面側に、野地板（３）から間隔おいて断熱部材（１１）が野地板（３）の裏面側を覆うように設けられ、野地板（３）と断熱部材（１１）との間に空気層（１２）が形成された屋根の断熱構造において、
前記断熱部材（１１）は、隣り合う垂木（２）間毎に分離されていて、桁行き方向に複数設けられ、湿気が垂木（２）を通して断熱部材（１１）の表面側と裏面側との間を流通するように、隣り合う断熱部材（１１）は、垂木（２）に対応する位置で互いに離間されていることを特徴とする屋根の断熱構造。
【請求項２】
隣り合う断熱部材（１１）は通気シート（１７）で互いに連結されて、複数の断熱部材（１１）が通気シート（１７）を介して順次桁行き方向に連結され、各通気シート（１７）は垂木（２）に添うように配置され、隣り合う断熱部材（１１）は、垂木（２）を桁行き方向の両側から挟むように垂木（２）の両側面にそれぞれ接当又は近接されていることを特徴とする請求項１に記載の屋根の断熱構造。
【請求項３】
各断熱部材（１１）は、両側の通気シート（１７）が隣り合う垂木（２）の上部側にそれぞれ引っ掛けられることにより、隣り合う垂木（２）の上下方向の中途部間に保持されていることを特徴とする請求項２に記載の屋根の断熱構造。
【請求項４】
前記複数の垂木（２）は、複数の既設の垂木（２１）上に配置された既設の野地板（２２）上に新たに設けられたものであり、前記野地板（２２）は、新たに設けられた複数の垂木（２１）上に新たに配置されたものであることを特徴とする請求項１に記載の屋根の断熱構造。
【請求項５】
複数の断熱部材（１１）は、新たに設けた隣り合う垂木（２１）間にそれぞれ位置するように、既設の野地板（２２）上に載置されていることを特徴とする請求項４に記載の屋根の断熱構造。
【請求項６】
前記断熱部材（１１）は、断熱材（１４）を備えると共に、断熱材（１４）の表裏両面又は片面を覆う一対の射熱シート（１５）を備えていることを特徴とする請求項１〜５のいずれかに記載の屋根の断熱構造。
【請求項７】
前記断熱材（１４）はエアーキャップにより構成され、射熱シート（１５）はアルミ箔により構成されていることを特徴とする請求項６に記載の屋根の断熱構造。
【請求項８】
断熱部材（１１）と通気シート（１７）とを互いに連結したことを特徴とする断熱通気材。
【発明の詳細な説明】
【技術分野】
【０００１】
本発明は、断熱部材が野地板の裏面側を覆うように設けられた住宅等の屋根の断熱構造及び断熱通気材に関するものである。
【背景技術】
【０００２】
住宅等の屋根の断熱構造には、図１０に示すように、野地板５１の裏面側に、野地板５１から間隔おいて断熱部材５２を野地板５１の裏面側を覆うように設け、野地板５１と断熱部材５２との間に空気層５３を形成したものがあるが、この種の従来の屋根の断熱構造は、同図に示すように、屋根流れ方向に間隔をおいて配置した複数の母屋５５間毎に、板状の断熱部材５２が複数設けられ、隣り合う断熱部材５２の端部同士を上下に重合させて、母屋５５の下面に釘等の固定具５６を打ち付けて固定していた（例えば特許文献１）。
【特許文献１】特開平１０−２８０５７７号公報
【特許文献２】特開平０５−１４４８号公報
【特許文献３】特開昭５３−３２９２０号公報
【発明の開示】
【発明が解決しようとする課題】
【０００３】
ところで、野地板５１及び母屋５５等は、屋根に日が当たると湿気を逃がし、日が暮れると湿気を吸収したりして、湿気を吸ったり吐いたりしているのであるが、従来の屋根の断熱構造では、断熱部材５２で、野地板５１の裏面側を母屋５５下方側から密閉状に塞いだ状態になるため、湿気が母屋５５から断熱部材５２の裏面側に抜けなくなり、このため、湿気が母屋５５や野地板５１の裏面等に溜まって、母屋５５や野地板５１が短期間で腐ってしまうおそれがあった。
本発明は上記問題点に鑑み、屋根裏を断熱部材によって効果的に断熱することができると共に、湿気が野地板の裏面側に溜まることを防止して、湿気で野地板等が腐るのを防止できるようにしたものである。
【課題を解決するための手段】
【０００４】
この技術的課題を解決するための本発明の技術的手段は、桁行き方向に間隔をおいて設けられた複数の垂木２上に野地板３が配置され、野地板３の裏面側に、野地板３から間隔おいて断熱部材１１が野地板３の裏面側を覆うように設けられ、野地板３と断熱部材１１との間に空気層１２が形成された屋根の断熱構造において、
前記断熱部材１１は、隣り合う垂木２間毎に分離されていて、桁行き方向に複数設けられ、湿気が垂木２を通して断熱部材１１の表面側と裏面側との間を流通するように、隣り合う断熱部材１１は、垂木２に対応する位置で互いに離間されている点にある。
【０００５】
また、本発明の他の技術的手段は、隣り合う断熱部材１１は通気シート１７で互いに連結されて、複数の断熱部材１１が通気シート１７を介して順次桁行き方向に連結され、各通気シート１７は垂木２に添うように配置され、隣り合う断熱部材１１は、垂木２を桁行き方向の両側から挟むように垂木２の両側面にそれぞれ接当又は近接されている点にある。
また、本発明の他の技術的手段は、各断熱部材１１は、両側の通気シート１７が隣り合う垂木２の上部側にそれぞれ引っ掛けられることにより、隣り合う垂木２の上下方向の中途部間に保持されている点にある。
【０００６】
また、本発明の他の技術的手段は、前記複数の垂木２は、複数の既設の垂木２１上に配置された既設の野地板２２上に新たに設けられたものであり、前記野地板２２は、新たに設けられた複数の垂木２１上に新たに配置されたものである点にある。
また、本発明の他の技術的手段は、複数の断熱部材１１は、新たに設けた隣り合う垂木２１間にそれぞれ位置するように、既設の野地板２２上に載置されている点にある。
また、本発明の他の技術的手段は、前記断熱部材１１は、断熱材１４を備えると共に、断熱材１４の表裏両面又は片面を覆う一対の射熱シート１５を備えている点にある。
【０００７】
また、本発明の他の技術的手段は、前記断熱材１４はエアーキャップにより構成され、射熱シート１５はアルミ箔により構成されている点にある。
また、本発明の他の技術的手段は、断熱部材１１と通気シート１７とを互いに連結した断熱通気材である点にある。
【発明の効果】
【０００８】
屋根裏を断熱部材によって効果的に断熱することができる。湿気が野地板の裏面側に溜まることを防止して、湿気で野地板等が腐るのを防止できる。
【発明を実施するための最良の形態】
【０００９】
以下、本発明を図示の実施の形態に従って説明する。
図１において、１は棟木、２は屋根流れ方向に配置した垂木で、桁行き方向に間隔をおいて複数設けられている。３は野地板で、棟木１と垂木２とで組み上げた屋根４の骨組上に張り付けられている。野地板３の上面にアスファルトルーフィング等の防水シート５が敷かれ、その上にストレート瓦等の屋根材６が葺かれている。
屋根４の棟部分に、野地板３及び屋根材６等を切り欠いてなる屋根開口部７が設けられ、この屋根開口部７の上方に、棟を挟む一対の屋根面間に跨るように換気棟９が設けられ、屋根開口部７からの排気が換気棟９を通して外部に排出されるようになっている。
【００１０】
図１及び図２において、野地板３の裏面側に、板状の断熱部材１１が野地板３から間隔おいて設けられている。前記断熱部材１１は、隣り合う垂木２間毎に分離されていて、桁行き方向に複数設けられ、各断熱部材１１は野地板３の裏面側を覆っており、野地板３と断熱部材１１との間に空気層１２が形成されている。空気層１２は、各垂木２に沿うように屋根流れ方向に形成され、空気層１２の屋根流れ方向の上側は換気棟９に連通し、空気層１２の屋根流れ方向の下側は、軒先部分で外部に連通している。
各断熱部材１１は、板状の断熱材１４を備えると共に、断熱材１４の表裏両面を覆う上下一対の射熱シート１５を備え、断熱材１４はエアーキャップ（多数の空気セルを備えたプラスチック製エアマット）により構成され、射熱シート１５はアルミ箔により構成されている。断熱材１４と一対の射熱シート１５とは縫着又は接着等により互いに重合固着されている。
【００１１】
図３にも示すように、隣り合う断熱部材１１同士は、通気シート１７により互いに連結されており、複数の断熱部材１１は通気シート１７を介して順次桁行き方向に連結され、断熱部材１１と通気シート１７とを互いに連結して断熱通気材１８を構成している。各通気シート１７の両端部は、隣り合う断熱部材１１の対向端部にそれぞれ縫着又は接着等により固着されている。各通気シート１７は、空気や水蒸気は通すが水を透過させないシート（透湿防水シート、通気防水シート）であり、通気シート１７として、例えば旭・デュポンフラッシュ株式会社製の商品名〔デュポンタイベック１０６０Ｂ〕又は宇部気密ハウジング株式会社製の商品名〔ジョシーツＬＸ〕が使用される。
【００１２】
各通気シート１７は垂木２の上面及び両側面の上部に添うように配置され、各断熱部材１１は、両側の通気シート１７が隣り合う垂木２の上部側にそれぞれ引っ掛けられることにより、隣り合う垂木２の上下方向の中途部間に保持され、隣り合う断熱部材１１は、垂木２を桁行き方向の両側から挟むように垂木２の両側面にそれぞれ接当又は近接されている。従って、隣り合う断熱部材１１は、垂木２に対応する位置で互いに離間されており、湿気が垂木２を通して断熱部材１１の表面側と裏面側との間を流通するようになっている。
【００１３】
上記実施の形態によれば、断熱部材１１を野地板３の裏面側に取付けるには、図３に示すように、複数の断熱部材１１を通気シート１７を介して順次桁行き方向に連結しておき、この状態で、図２に示すように、各通気シート１７を各垂木２の上部に引っ掛けて、各断熱部材１１を、隣り合う垂木２の上下方向の中途部間に保持し、その後、野地板３を垂木２上に張り付ければよく、屋根５を組み立てる際に、複数の断熱部材１１を野地板３の裏面側に簡単に取付けることができる。
そして、断熱部材１１の取付け後には、野地板３側から天井板側に放射される輻射熱を断熱部材１１の上側の射熱シート１５で射熱することができ、野地板３側からの輻射熱によって天井板側が加熱されるのを防止することができる。また、天井板側から野地板３側に放射される冷熱を、断熱部材１１の下側の射熱シート１５で射熱することができ、冷熱が野地板３側に放射されて天井板側が熱くなるのを防ぐことができる。また、断熱部材１１の断熱材１４によって、野地板３側と天井板側とを効果的に断熱して、野地板３側の熱が天井板側に伝わって高温になるのを防ぐことができるし、また、断熱部材１１と野地板３との間に空気層１２が形成されており、この空気層１２によっても、野地板３側の熱が天井板側に伝わらないように効果的に断熱することができる。また、空気層１２は屋根流れ方向に形成され、空気層１２の屋根流れ方向の上側は換気棟９に連通し、空気層１２の屋根流れ方向の下側は、軒先部分で外部に連通しているため、外気が空気層１２を屋根流れ方向にスムーズに流通することができ、空気層１２への外気の流通によって、野地板３の裏面側に熱がこもらないように効果的に冷却することができる。
【００１４】
しかも、野地板３及び野地板３下方の垂木２は、屋根４に日が当たると湿気を逃がし、日が暮れると湿気を吸収したりして、湿気を吸ったり吐いたりするが、断熱部材１１は、隣り合う垂木２間毎に分離されていて、隣り合う断熱部材１１は、垂木２に対応する位置で互いに離間されているため、断熱部材１１で野地板３の裏面側を密閉状に塞いだ状態にならなくて済み、図２に示すように、湿気が垂木２内をａ方向に通って断熱部材１１の表面側と裏面側との間を流通するようになり、従って、上記の如く野地板３及び垂木２が湿気を吸ったり吐いたりするのを、断熱部材１１が妨げるようなことがなくなって、湿気が垂木２や野地板３の裏面等に溜まらなくなり、垂木２や野地板３が短期間で腐るのを防止できる。
【００１５】
図４は他の実施形態を示し、隣り合う断熱部材１１同士を連結した通気シート１７は、垂木２の下面及び両側面の下部に添うように配置されて、釘等の固定具１９で垂木１１に固着され、各断熱部材１１は、両側の通気シート１７が隣り合う垂木２の下部側にそれぞれ固着されることにより、隣り合う垂木２の上下方向の中途部間に保持され、隣り合う断熱部材１１は、垂木２を桁行き方向の両側から挟むように垂木２の両側面にそれぞれ接当又は近接されている。従って、前記実施の形態の場合と同様に、隣り合う断熱部材１１は、垂木２に対応する位置で互いに離間されており、湿気が垂木２を通して断熱部材１１の表面側と裏面側との間を流通するようになっている。その他の点は前記実施の形態の場合と同様の構成であり、前記実施の形態の場合と同様に、屋根裏を断熱部材１１によって効果的に断熱することができると共に、湿気が垂木２や野地板３の裏面側に溜まることを防止して、湿気で垂木２や野地板３等が腐るのを防止することができる。
【００１６】
図５は他の実施形態を示し、隣り合う断熱部材１１同士を連結する通気シート１７を省略し、各断熱部材１１の端部を隣り合う垂木２の下面の端部に重合させて釘等の固定具１９で各断熱部材１１の両端部を、隣り合う断熱部材１１に固定し、隣り合う断熱部材１１は、垂木２に対応する位置で互いに離間されている。その他の点は前記前記実施の形態の場合と同様の構成であり、前記実施の形態の場合と同様に、屋根裏を断熱部材１１によって効果的に断熱することができると共に、湿気が垂木２や野地板３の裏面側に溜まることを防止して、湿気で垂木２や野地板３等が腐るのを防止することができる。
【００１７】
図６及び図７は他の実施の形態を示し、複数の既設の垂木２１上に既設の野地板２２が張り付けられている。この既設の野地板２２上に、複数の新たな垂木２が設けられている。前記新たに設けられた複数の垂木２は、複数の既設の垂木２１の上方にそれぞれ対応するように配置されている。複数の新たな垂木２上に新たな野地板３が張り付けられている。新たな野地板３の上面にアスファルトルーフィング等の防水シート５が敷かれ、その上にストレート瓦等の屋根材６が葺かれている。
屋根４の棟部分に、新たな野地板３及び屋根材６等を切り欠いてなる屋根開口部７が設けられ、この屋根開口部７の上方に、棟を挟む一対の屋根面間に跨るように換気棟９が設けられ、屋根開口部７からの排気が換気棟９を通して外部に排出されるようになっている。
【００１８】
新たな野地板３の裏面側に、前記図１〜図３の実施の形態の場合と同様に、断熱部材１１が野地板３から間隔おいて垂木２間毎に桁行き方向に複数設けられられている。各断熱部材１１は、前記図１〜図３の実施の形態の場合と同様に、断熱材１４と一対の射熱シート１５とを備え、隣り合う断熱部材１１同士は、通気シート１７により互いに連結されている。また、前記実施の形態の場合と同様に、各断熱部材１１は、両側の通気シート１７が隣り合う垂木２の上部側にそれぞれ引っ掛けられることにより、隣り合う垂木２の上下方向の中途部間に保持されている。
【００１９】
上記実施の形態によれば、断熱部材１１を新たな野地板３の裏面側に取付けるには、各通気シート１７を新たな垂木２の上部に引っ掛けて、各断熱部材１１を、隣り合う垂木２の上下方向の中途部間に保持し、その後、新たな野地板３を新たな垂木２上に張り付ければよく、既設の垂木２１及び野地板２２上に新たな屋根５を組み立てる際に、複数の断熱部材１１を新たな野地板３の裏面側に簡単に取付けることができる。
そして、断熱部材１１の取付け後には、前記図１〜図４の実施の形態の場合と同様に、野地板３側からの輻射熱によって天井板側が加熱されるのを防止することができるし、冷熱が野地板３側に放射されて天井板側が熱くなるのを防ぐことができる。また、断熱部材１１の断熱材１４及び空気層１２によって、野地板３側の熱が天井板側に伝わらないように効果的に断熱することができる。また、空気層１２への外気の流通によって、野地板３の裏面側に熱がこもらないように効果的に冷却することができる。しかも、断熱部材１１で野地板３の裏面側を密閉状に塞いだ状態にならなくて済み、湿気が垂木２や野地板３の裏面等に溜まるようなことがなくなり、垂木２や野地板３が短期間で腐るのを防止できる。
【００２０】
図８及び図９は他の実施の形態を示し、隣り合う断熱部材１１同士を連結する通気シート１７が省略され、複数の断熱部材１１は、新たに設けた隣り合う垂木２間にそれぞれ位置するように、既設の野地板２２上に載置されている。その他の点は前記図６及び図７の実施の形態の場合と同様の構成である。
上記実施の形態によれば、前記図７及び図９の実施の形態の場合と同様に、屋根裏を断熱部材１１によって効果的に断熱することができると共に、湿気が垂木２や野地板３の裏面側に溜まることを防止して、湿気で垂木２や野地板３等が腐るのを防止することができる。しかも、この場合、断熱部材１１の取付けは、複数の断熱部材１１を、隣り合う垂木２間に位置するように既設の野地板２２上に並べて置けばよく、断熱部材１１の取付けを非常に簡単になすことができる。
【００２１】
なお、前記実施の形態では、通気シート１７は、空気や水蒸気は通すが水を透過させない透湿防水シート又は通気防水シート等により構成されているが、通気シート１７は、空気や水蒸気を通すシートにより構成されていればよく、水を透過させない防水型のものでなくてもよい。
また、前記実施の形態では、断熱部材１１は、板状の断熱材１４を備えると共に、断熱材１４の表裏両面を覆う上下一対の射熱シート１５を備えているが、これに代え、断熱部材１１を、エアーキャップ等の板状の断熱材１４のみで構成し、一対の射熱シート１５を省略するようにしてもよい。また、断熱部材１１を、板状の断熱材１４と上下一対の射熱シート１５の内の一方の射熱シート１５とで構成し、一方の射熱シート１５を省略するようにしてもよい。断熱部材１１の断熱材１４はエアーキャップに限定されず、他の構成のものであってもよいことは勿論である。また、断熱部材１１を、射熱シート１５のみで構成するようにしてもよい。
【産業上の利用可能性】
【００２２】
住宅等の屋根の断熱に利用される。
【図面の簡単な説明】
【００２３】
【図１】本発明の一実施の形態を示す屋根部分の概略断面図である。
【図２】同図１のＡ−Ａ線断面図である。
【図３】同通気シートにより連結された断熱通気材の断面図である。
【図４】他の実施形態を示す断面図である。
【図５】他の実施形態を示す断面図である。
【図６】他の実施形態を示す屋根部分の概略断面図である。
【図７】同図６のＢ−Ｂ線断面図である。
【図８】他の実施形態を示す屋根部分の概略断面図である。
【図９】同図８のＣ−Ｃ線断面図である。
【図１０】従来例を示す屋根部分の断面図である。
【符号の説明】
【００２４】
２    垂木
３    野地板
１１    断熱部材
１２    空気層
１４    断熱材
１５    射熱シート
１７    通気シート
１８    断熱通気材
２１    既設の垂木
２２    既設の野地板
【図１】
2005090182.tif 000003
【図２】
2005090182.tif 000004
【図３】
2005090182.tif 000005
【図４】
2005090182.tif 000006
【図５】
2005090182.tif 000007
【図６】
2005090182.tif 000008
【図７】
2005090182.tif 000009
【図８】
2005090182.tif 000010
【図９】
2005090182.tif 000011
【図１０】
2005090182.tif 000012